(57)【要約】【課題】  スティックより打面を打撃したときに演奏者に付与される違和感を解消し、アコースティックドラムと同等の打感を得ることができる打楽器用パッドを提供すること。【解決手段】  平面視略円形に形成された表層部１１と、この表層部１１の内面側に設けられた内層部１２と、これら表層部１１及び内層部１２を支持する板状の支持体１３とを備えてパッド１０が構成されている。表層部１１の表面には、スティックにより打撃される打面１５が形成されており、この打面１５は打撃力に応じて打面１５の沈み込み量を変化するようになっている。【選択図】      図２
2005274727.tif 000002
【特許請求の範囲】
【請求項１】
スティックにより打撃される打面を形成する表層部と、この表層部を支持する支持体とを備えた打楽器用パッドにおいて、
前記表層部の内面側に内層部を設けて打撃力に応じた打面の沈み込み量を変化させることを特徴とする打楽器用パッド。
【請求項２】
前記内層部は、その硬度が表層部の硬度より小さく設定されていることを特徴とする請求項１記載の打楽器用パッド。
【請求項３】
前記打面の面内外周側領域と面内中央領域とをそれぞれ同じ打撃力でスティックにより打撃したときに、前記表層部及び又は内層部は、面内外周側領域より面内中央領域の方が打面の沈み込み量を大きくすることを特徴とする請求項１又は２記載の打楽器用パッド。
【請求項４】
前記外周側領域に対応する内層部は、打面の外周に向かって漸次薄肉となる領域を備えていることを特徴とする請求項３記載の打楽器用パッド。
【請求項５】
前記表層部及び又は内層部の硬度は、打面の面内中央領域より面内外周側領域の方が大きく設定されていることを特徴とする請求項３又は４記載の打楽器用パッド。
【請求項６】
スティックにより打撃される打面を形成する表層部を備えた打楽器用パッドにおいて、
前記表層部の硬度は、打面の面内中央領域より面内外周側領域の方が大きく設定されていることを特徴とする打楽器用パッド。
【発明の詳細な説明】
【技術分野】
【０００１】
本発明は、打楽器用パッドに係り、更に詳しくは、スティックにより打面を打撃したときの打感を改善することができる打楽器用パッドに関する。
【背景技術】
【０００２】
公知のアコースティックドラムにおいては、リムを介して所定のテンションによって張設された皮や合成樹脂シート等からなるシート部材により打面を形成し、当該打面をスティックにより打撃して振動させることによって音が発せられる。
【０００３】
一方、アコースティックドラムを電子化したものとして、電子ドラムが市場を流通するに至っており、この電子ドラムは、打面を形成するパッドの振動を電子音に変換可能に設けられている。電子ドラムは、所定の電子音源を介してスピーカやヘッドホン等の出力装置に接続され、当該出力装置から発生する電子音の強弱をコントロールできるようになっている。従って、電子ドラムは、防音構造が採用されていない室内等で練習用として利用される場合が多く、このため、スティックの打撃によるパッドからの発音をできるだけ静かにする要請がある。
【０００４】
この一方、電子ドラムでは、パッドの振動を圧電素子等からなるセンサにより感知し、スティックの打撃力に応じた電子音を電子音源に出力する構造が採用されている。よって、センサによって振動を感知し易い素材によりパッドを構成する要請もある。
つまり、電子ドラムに用いられるパッドは、静音化を図る要請と、センサにより振動を感知され易くする要請とを同時に満たすため、打面を形成するゴム製の表層部を、鉄板やＭＤＦ板等からなる支持体に積層して構成されている（特許文献１参照）。
【０００５】
【特許文献１】特開平９−２４４６３３号公報
【発明の開示】
【発明が解決しようとする課題】
【０００６】
しかしながら、前述した電子ドラムに用いられるパッドと、アコースティックドラムとでは、スティックにより打面を打撃したときに、当該打面の沈み込み量が異なり、ひいては、演奏者に伝わる打感が異なって違和感を生じさせるという不都合がある。
具体的には、スティックの打撃力を強くすると、アコースティックドラムでは打面が大きく沈み込むように変形する。これに比べ、ゴム製の表層材を用いたパッドでは、表層部が比較的厚肉となり、板状の支持体を介して下面から支持されるため、打面の沈み込み量が小さくなる、という違いがある。
また、スティックの打撃力を同じとした場合、アコースティックドラムでは、リムからの距離に応じて打面の沈み込み量が変化するのに対し、ゴム製の表層材を用いたパッドでは、打面の何れの領域を打撃しても、打面の沈み込み量が殆ど変わらない、という違いもある。
【０００７】
［発明の目的］
本発明は、このような不都合に着目して案出されたものであり、その目的は、打面を打撃したときに、スティックを介して演奏者に付与される違和感を解消し、アコースティックドラムと同等の打感を得ることができる打楽器用パッドを提供することにある。
【課題を解決するための手段】
【０００８】
前記目的を達成するため、本発明は、スティックにより打撃される打面を形成する表層部と、この表層部を支持する支持体とを備えた打楽器用パッドにおいて、
前記表層部の内面側に内層部を設けて打撃力に応じた打面の沈み込み量を変化させる、という構成を採っている。
【０００９】
本発明において、内層部は、その硬度が表層部の硬度より小さく設定される、という構成を採用することが好ましい。
【００１０】
また、前記打面の面内外周側領域と面内中央領域とをそれぞれ同じ打撃力でスティックにより打撃したときに、前記表層部及び又は内層部は、面内外周側領域より面内中央領域の方が打面の沈み込み量を大きくする、という構成を採ることができる。
【００１１】
更に、前記外周側領域に対応する内層部は、打面の外周に向かって漸次薄肉となる領域を備える、という構成も好ましくは採用される。
【００１２】
また、表層部及び又は内層部の硬度は、打面の面内中央領域より面内外周側領域の方が大きく設定される、という構成を採ってもよい。
【００１３】
また、本発明は、スティックにより打撃される打面を形成する表層部を備えた打楽器用パッドにおいて、
前記表層部の硬度は、打面の面内中央領域より面内外周側領域の方が大きく設定される、という構成も採用される。
【発明の効果】
【００１４】
本発明によれば、スティックによる打撃力を強くしたときに、内層部によって打撃力に応じた打面の沈み込み量を確保することができる。これにより、表層部をゴムにより構成した場合、静音性や振動の感知し易さを保ちつつ、打感をアコースティックドラムに近付けることが可能となる。
【００１５】
また、表層部より内層部の硬度を小さく設定したから、例えば、打撃力を略最大限とすると、内層部の弾性によって演奏者の手に付与される衝撃を和らげることができ、且つ、略最大限の打撃力の半分以下程度の打撃力とした場合には、表層部の弾性によってスティックが跳ね返る打感を得るように設定することが可能となる。
【００１６】
更に、打面の面内外周側領域より面内中央領域の方が打面の沈み込み量を大きくしたから、打面の打撃位置によって演奏者に付与される打感を変えてアコースティックドラムに近い打感を実現することができる。
【００１７】
また、打面の外周に向かって内層部を漸次薄肉としたり、打面の外周側領域の方が中央領域より表層部及び又は内層部の硬度を大きくしたりすることにより、簡単な構成により、打面の中央領域で軟らかく、外周側領域で硬い打感を付与することが可能となる。
【発明を実施するための最良の形態】
【００１８】
以下、本発明の実施の形態について図面を参照しながら説明する。なお、以下の説明において、「ゴム硬度」とは、ＪＩＳ  Ｋ  ６２５３の硬度計を用いて測定した硬度とし、「スポンジゴム硬度」とは、ＳＲＩＳ  ０１０１の硬度計を用いて測定した硬度とする。
【００１９】
［第１実施形態］
図１には、第１実施形態に係る打楽器用パッドの概略平面図が示され、図２には、図１のＡ−Ａ線に沿う断面図が示されている。これらの図において、打楽器用パッド１０（以下、「パッド」とする）は、平面視略円形に形成された表層部１１と、この表層部１１の内面側（図２中下面側）に設けられた内層部１２と、これら表層部１１及び内層部１２を図２中下側から支持する板状の支持体１３とを備えて構成されている。
【００２０】
前記表層部１１は、特に限定されるものでないが、天然或いは合成、或いはそれらを混合させたいわゆるゴムにより構成され、スティック（図示省略）により打撃される打面１５が表面（図２中上面）に形成されている。表層部１１のゴム硬度は、約４５°に設定されている。また、表層部１１の厚さは、約６ｍｍに設定されている。
【００２１】
前記内層部１２は、発泡ウレタン等からなる弾性をもつスポンジにより構成され、表層部１１と略同一平面形状に設けられるとともに、表層部１１と支持体１３との間に接着剤等を介して積層されている。内層部１２の硬度は、表層部１１の硬度より小さく設定されている。具体的には、内層部１２のスポンジゴム硬度は約３５±５°に設定されている。また、内層部１２の厚さは、約１０ｍｍに設定されている。
【００２２】
前記支持体１３は、厚さ約１．６ｍｍの鉄板や厚さ約９ｍｍのＭＤＦ板、合板、ファイバーボード等からなり、表層部１１及び内層部１２と略同一平面形状に形成されて内層部１２の下側に接着されている。支持体１３の下面には、発泡塩化ビニル等の樹脂材からなるセンサボード１６が接着剤等を介して固着され、このセンサボード１６の下面に板状をなす圧電素子等からなるセンサ１７が設けられている。センサ１７は、スティックにより打面１５を打撃したときに、表層部１１、内層部１２、支持体１３及びセンサボード１６に伝わる振動を検出し、この検出信号を図示しない電線を介して所定の電子音源に入力するようになっている。
【００２３】
以上の構成において、前記パッド１０を用いた演奏は、スティックにより打面１５を打撃することにより行われる。この際、表層部１１及び内層部１２を前述した硬度に設定したので、これらがスティックの打撃力に応じて打面１５を沈み込ませるように弾性変形する。すなわち、演奏者が略最大限の打撃力によって打撃したとき（以下、「強打撃時」とする）、内層部１２が大きく圧縮されて打面１５の沈み込み量が大きくなり、スティックを持つ手への衝撃が和らげられる。一方、前記強打撃時の半分以下の打撃力で打撃したとき（以下、「弱打撃時」とする）、強打撃時に比べて打面１５の沈み込み量が小さくなるように表層部１１及び内層部１２が圧縮し、スティックを持つ手に表層部１１の硬い打感が付与される。
【００２４】
従って、このような第１実施形態によれば、支持体１３に硬度の異なる表層部１１及び内層部１２を積層したので、強打撃時と弱打撃時とで打面１５の沈み込み量を変化させることができ、強打撃時に主に内層部１２の弾性変形に起因する打感を付与し、且つ、弱打撃時に主に表層部１１の弾性変形に起因する打感を付与することが可能となる。これにより、アコースティックドラムの打感に近い打感を奏するようになり、パッド１０を用いて演奏したときと、アコースティックドラムを演奏したときとの違和感を改善できるという効果を得る。
【００２５】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００２６】
［第２実施形態］
図３には、本発明の第２実施形態に係るパッド１０の概略横断面図が示されている。この第２実施形態は、打面１５の面内中央領域１５Ａと面内外周側領域１５Ｂとで表層部１１の硬度を変えたものである。
すなわち、表層部１１の硬度は、面内中央領域１５Ａより面内外周側領域１５Ｂの方が大きく設定されており、具体的には、面内中央領域１５Ａに位置する表層部１１のゴム硬度が約４５°、面内外周側領域１５Ｂに位置する表層部１１のゴム硬度が約６０°に設定されている。ここで、図１の二点鎖線で示されるように、前記面内中央領域１５Ａと面内外周側領域１５Ｂとの境界は、打面１５の中心位置と略同一中心となる円に沿って位置しており、当該円の直径が打面１５の半径とが略同じとなるように設定されている。
【００２７】
従って、このような第２実施形態によれば、表層部１１において面内外周側領域１５Ｂより面内中央領域１５Ａの方が軟らかくなるので、面内外周側領域１５Ｂと面内中央領域１５Ａとをそれぞれ同じ打撃力で打撃した場合、面内外周側領域１５Ａより面内中央領域１５Ｂの方が打面１５の沈み込み量を大きくすることができる。これにより、面内中央領域１５Ａで軟らかい打感を付与しつつ、面内外周側領域１５Ａで硬い打感を付与することができ、アコースティックドラムのように打撃位置の違いによって打感を異なるようにすることが可能となる。
【００２８】
［第３実施形態］
図４には、本発明の第３実施形態に係るパッド１０の概略横断面図が示されている。この第３実施形態は、打面１５の面内中央領域１５Ａと面内外周側領域１５Ｂとで内層部１２の硬度を変えたものである。すなわち、内層部１２のスポンジゴム硬度は、面内中央領域１５Ａより面内外周側領域１５Ｂの方が大きく設定されており、これによっても、第２実施形態と同様の作用、効果を得ることが可能となる。
【００２９】
［第４実施形態］
図５には、本発明の第４実施形態に係るパッド１０の概略横断面図が示されている。この第４実施形態は、内層部１２の厚さを部分的に薄肉としたものである。
具体的には、面内外周側領域１５Ｂに対応する内層部１２は、その図５中下面が傾斜面とされ、打面１５の外周に向かって漸次薄肉となるように形成されている。また、面内外周側領域１５Ｂの支持体１３は、内層部１２の厚さ変化に応じるように打面１５の外周に向かって漸次厚肉となるように形成されている。
【００３０】
従って、このような第４実施形態によれば、打面１５の外周に向かって内層部１２の弾性力を低下させ、前記面内中央領域１５Ａと面内外周側領域１５Ｂとの境界から打面１５の外周に向かって前述した沈み込み量を次第に小さくすることができる。換言すれば、打面１５の外周から距離に応じてスティックに付与される打感を次第にアナログ的に変えることができ、アコースティックドラムの打感により一層近付けることが可能となる。
【００３１】
［第５実施形態］
図６には、本発明の第５実施形態に係るパッド１０の概略横断面図が示されている。この第５実施形態の内層部１２は、第４実施形態の内層部１２の上下向きを反転させた形状とされる。
すなわち、面内外周側領域１５Ｂに対応する内層部１２は、その図６中上面が傾斜面とされ、打面１５の外周に向かって漸次薄肉となるように形成されている。また、面内外周側領域１５Ｂの表層部１１は、内層部１２の厚さ変化に応じて打面１５の外周に向かって漸次厚肉となるように形成されている。
【００３２】
従って、このような第５実施形態によっても、第４実施形態と同様の効果を得ることができる。
【００３３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置、材質若しくは方向、その他の詳細な構成において、当業者が様々な変形を加えることができるものである。
【００３４】
例えば、前記打面１５の平面形状は、種々の設計変更が可能であり、例えば、略方形状、略楕円状、略多角形状としてもよい。この場合、前記面内中央領域１５Ａと面内外周側領域１５Ｂとの境界位置は、打面１５の面内中心位置若しくは図心から外周までの距離の略中間点を結ぶ軌跡となる。
また、前記各実施形態では、単一のパッド１０を図示、説明したが、複数のパッド１０をアコースティックドラムセットの各ドラムと同様に配置してもよい。このとき、各パッド１０における表層部１１及び内層部１２の硬度を適宜調整し、スネアドラムに対応するパッド１０よりフロアタムに対応するパッド１０の方が打感を軟らかくしたりすることにより、演奏者にアコースティックドラムのような良好なる演奏感を付与することが可能となる。
更に、前記センサボード１６及びセンサ１７を省略し、主に練習用として用いられるパッド１０としてもよい。
また、図７に示されるように、第２実施形態の内層部１２を省略した構成としてもよく、これによっても、面内中央領域１５Ａと面内外周側領域１５Ｂとの打感を変えることができる。
更に、表層部１１及び内層部１２は、前述の構成に限られず、例えば、それらを同一素材として表層部１１より内層部１２の方が密度を小さく設定したり、表層部１１における内面側の複数箇所を部分的に削り取るように形成して内層部１２を形成したりすることにより、打撃力に応じた打面１５の沈み込み量を変化させる構成としてもよい。
【産業上の利用可能性】
【００３５】
本発明は、主に、表層部の振動を電子的に変換して打撃音を出力する電子ドラムセットに利用することができる。
【図面の簡単な説明】
【００３６】
【図１】第１実施形態に係る打楽器用パッドの概略平面図。
【図２】図１のＡ−Ａ線に沿う断面図。
【図３】第２実施形態に係る打楽器用パッドの図２と同様の断面図。
【図４】第３実施形態に係る打楽器用パッドの図２と同様の断面図。
【図５】第４実施形態に係る打楽器用パッドの図２と同様の断面図。
【図６】第５実施形態に係る打楽器用パッドの図２と同様の断面図。
【図７】変形例に係る打楽器用パッドの図２と同様の断面図。
【符号の説明】
【００３７】
１０・・・パッド（打楽器用パッド）、１１・・・表層部、１２・・・内層部、１３・・・支持体、１５・・・打面、１５Ａ・・・面内中央領域、１５Ｂ・・・面内外周側領域
【図１】
2005274727.tif 000003
【図２】
2005274727.tif 000004
【図３】
2005274727.tif 000005
【図４】
2005274727.tif 000006
【図５】
2005274727.tif 000007
【図６】
2005274727.tif 000008
【図７】
2005274727.tif 000009